(57)【特許請求の範囲】
【請求項１】
建築物の壁面、床面又は天井面に固定されるベース部材と、
前記ベース部材に対して着脱可能なカバー部材と、
前記ベース部材に前記カバー部材を装着した状態で形成され、通信線及び／又は制御線を収容する第１の収容部と、
前記ベース部材に前記カバー部材を装着した状態で前記第１の収容部と独立して形成され、電力線を収容する第２の収容部と、
前記カバー部材の外側に設けられ、前記電力線から電力の供給を受けるとともに前記制御線から制御信号を受けて動作する照明部と
を備えたことを特徴とする導管。
【請求項２】
前記照明部は、発光ダイオードであることを特徴とする請求項１に記載の導管。
【請求項３】
前記カバー部材は外側に凹部を有し、前記照明部は前記凹部に配置されることを特徴とする請求項１又は２に記載の導管。
【請求項４】
前記照明部の発光面は、前記床面に対して所定角度を有して配置されることを特徴とする請求項１，２又は３に記載の導管。
【請求項５】
前記照明部は、導管の長手に沿って配列された複数の照明要素部材を有し、前記複数の照明要素部材を順次個別に点灯制御することで前記長手と平行な２方向の一方を示す方向表示を行なうことを特徴とする請求項１〜４のいずれか一つに記載の導管。
【請求項６】
前記第１の収容部に収容される通信線の少なくとも一部は光通信を行なう光通信線であることを特徴とする請求項１〜５のいずれか一つに記載の導管。
【請求項７】
前記制御線は、他の導管の照明部の制御信号を光信号で伝送する光制御線と、外部の装置で光信号から電気信号に変換された自導管の照明部の制御信号を電気信号で伝送する電気制御線とを含むことを特徴とする請求項１〜６のいずれか一つに記載の導管。
【請求項８】
光信号を電気信号に変換する信号変換部をさらに備え、
前記照明部は、前記信号変換部により電気信号に変換された制御信号を受けて動作することを特徴とする請求項１〜６のいずれか一つに記載の導管。
【請求項９】
前記カバー部材は、前記ベース部材に嵌合して装着されることを特徴とする請求項１〜８のいずれか一つに記載の導管。
【請求項１０】
建築物の壁面、床面又は天井面に配置され、配線を収容する収容部と照明部とを有する複数の導管と、
前記建築物に係る異常に関する情報を取得する情報取得手段と、
前記情報取得手段により取得された情報に応じて前記照明部を点灯制御する制御部と
を備えたことを特徴とする照明システム。
【請求項１１】
前記制御部は、前記情報取得手段により災害の発生を示す情報が取得された場合に、避難経路を示す表示態様で前記照明部を点灯制御することを特徴とする請求項１０に記載の照明システム。
【請求項１２】
前記情報取得手段は、外部との通信により前記災害の発生を示す情報を取得することを特徴とする請求項１１に記載の照明システム。
【請求項１３】
前記情報取得手段は、前記導管に対応付けて設置された検知部により災害の発生を検知した場合に、当該検知部の設置位置に応じた避難経路を示す表示態様で前記照明部を点灯制御することを特徴とする請求項１１に記載の照明システム。
【請求項１４】
前記制御部は、前記情報取得手段により不正な侵入を示す情報が取得された場合に、該侵入の発生箇所に対応する導管の照明部を点灯制御することを特徴とする請求項１０〜１３のいずれか一つに記載の照明システム。
【請求項１５】
前記制御部は、前記建築物が有する複数の住戸のいずれかで異常が発生したことを示す情報が前記情報取得手段により取得された場合に、該異常が発生した住戸に対応する導管の照明部を点灯制御することを特徴とする請求項１０〜１３のいずれか一つに記載の照明システム。
【発明の詳細な説明】
【技術分野】
【０００１】
この発明は、配線を収容する導管及び導管を利用した照明システムに関する。
【背景技術】
【０００２】
従来、集合住宅などの建築物では、通信設備として電話線が敷設され、照明設備として蛍光灯が設置されていた。さらに近年では、光ファイバ、ＬＥＤ照明、防犯カメラなど、新たな設備が開発され、これらの設備を建築物に設けることが求められている。
【０００３】
例えば、特許文献１には、集合住宅内の共用場所（例えば情報通信集中管理室）まで光幹線ケーブルを引き込み、この光幹線ケーブルの支線となる１回線分の光支線ケーブルを各住戸に引き込むことにより、集合住宅の各住戸にマルチメディアデータを効率よく配信する技術が開示されている。このように新規の設備の追加や、既存の設備の置き換えは、今後も進むことが見込まれる。
【先行技術文献】
【特許文献】
【０００４】
【特許文献１】特許第４４７７９９３号
【発明の概要】
【発明が解決しようとする課題】
【０００５】
しかしながら、既存の建築物に新たな設備を追加するのは容易ではない。建築時に想定されていない設備であるためである。また、新規の建築物であっても、現時点での設備を想定して建築することはできるが、将来現れる新たな設備に対応することができない。
【０００６】
具体的には、建築時に想定されていない設備を設ける場合には、その配線が問題となる。新たな設備を設ける度に個別に配線を追加すれば、配線数が膨大になる。さらに、電力線と信号線との間で干渉を防ぐことも必要である。
【０００７】
例えば、交流電源による誘導障害の対策として、電力線と信号線が並行する場合、可能な限り両者を遠ざけて配線することが望まれる。また、銅やアルミなどの金属テープや銅線編組でケーブルを遮蔽する等のノイズ対策が必要となることもある。これらの干渉やノイズの対策をとりつつ、個別に配線を追加することは困難であり、配線が増加するにつれて障害が発生する危険が増すことになる。
【０００８】
これらのことから、建築物の配線に追加や置き換えが可能な拡張性を持たせ、かつ配線間の干渉を防止することが重要な課題となっている。
【０００９】
本発明は、上記従来技術の課題を解決するためになされたものであって、建築物の配線に追加や置き換えが可能な拡張性を持たせ、かつ配線間の干渉を防止することのできる導管及び照明システムを提供することを目的とする。
【課題を解決するための手段】
【００１０】
上述した課題を解決し、目的を達成するため、本発明は、建築物の壁面、床面又は天井面に固定されるベース部材と、前記ベース部材に対して着脱可能なカバー部材と、前記ベース部材に前記カバー部材を装着した状態で形成され、通信線及び／又は制御線を収容する第１の収容部と、前記ベース部材に前記カバー部材を装着した状態で前記第１の収容部と独立して形成され、電力線を収容する第２の収容部と、前記カバー部材の外側に設けられ、前記電力線から電力の供給を受けるとともに前記制御線から制御信号を受けて動作する照明部とを備えたことを特徴とする。
【００１２】
また、本発明は、上記発明において、前記照明部は、発光ダイオードであることを特徴とする。
【００１３】
また、本発明は、上記発明において、前記カバー部材は外側に凹部を有し、前記照明部は前記凹部に配置されることを特徴とする。
【００１４】
また、本発明は、上記発明において、前記照明部の発光面は、前記床面に対して所定角度を有して配置されることを特徴とする。
【００１５】
また、本発明は、上記発明において、前記照明部は、導管の長手に沿って配列された複数の照明要素部材を有し、前記複数の照明要素部材を順次個別に点灯制御することで前記長手と平行な２方向の一方を示す方向表示を行なうことを特徴とする。
【００１６】
また、本発明は、上記発明において、前記第１の収容部に収容される通信線の少なくとも一部は光通信を行なう光通信線であることを特徴とする。
【００１７】
また、本発明は、上記発明において、前記制御線は、他の導管の照明部の制御信号を光信号で伝送する光制御線と、外部の装置で光信号から電気信号に変換された自導管の照明部の制御信号を電気信号で伝送する電気制御線とを含むことを特徴とする。
【００１８】
また、本発明は、上記発明において、光信号を電気信号に変換する信号変換部をさらに備え、前記照明部は、前記信号変換部により電気信号に変換された制御信号を受けて動作することを特徴とする。
【００１９】
また、本発明は、上記発明において、前記カバー部材は、前記ベース部材に嵌合して装着されることを特徴とする。
【００２０】
また、本発明は、建築物の壁面、床面又は天井面に配置され、配線を収容する収容部と照明部とを有する複数の導管と、前記建築物に係る異常に関する情報を取得する情報取得手段と、前記情報取得手段により取得された情報に応じて前記照明部を点灯制御する制御部とを備えたことを特徴とする。
【００２１】
また、本発明は、上記発明において、前記制御部は、前記情報取得手段により災害の発生を示す情報が取得された場合に、避難経路を示す表示態様で前記照明部を点灯制御することを特徴とする。
【００２２】
また、本発明は、上記発明において、前記情報取得手段は、外部との通信により前記災害の発生を示す情報を取得することを特徴とする。
【００２３】
また、本発明は、上記発明において、前記情報取得手段は、前記導管に対応付けて設置された検知部により災害の発生を検知した場合に、当該検知部の設置位置に応じた避難経路を示す表示態様で前記照明部を点灯制御することを特徴とする。
【００２４】
また、本発明は、上記発明において、前記制御部は、前記情報取得手段により不正な侵入を示す情報が取得された場合に、該侵入の発生箇所に対応する導管の照明部を点灯制御することを特徴とする。
【００２５】
また、本発明は、上記発明において、前記制御部は、前記建築物が有する複数の住戸のいずれかで異常が発生したことを示す情報が前記情報取得手段により取得された場合に、該異常が発生した住戸に対応する導管の照明部を点灯制御することを特徴とする。
【発明の効果】
【００２６】
本発明によれば、建築物の配線に追加や置き換えが可能な拡張性を持たせ、かつ配線間の干渉を防止することができる。
【図面の簡単な説明】
【００２７】
【図１】図１は、実施例に係る導管及び照明システムの概念を説明するための説明図である。
【図２】図２は、導管の構造を説明する説明図である。
【図３】図３は、導管の外観についての説明図である。
【図４】図４は、導管の断面図である。
【図５】図５は、導管を共用廊下に敷設した状態の説明図である。
【図６】図６は、実施例に係るシステムの構成を説明する説明図である。
【図７】図７は、照明部の方向表示についての説明図である。
【図８】図８は、管理装置による照明に係る処理手順を示すフローチャートである。
【図９】図９は、図８に示した基本照明制御処理の詳細を示すフローチャートである。
【図１０】図１０は、照明制御線の配線の具体例の説明図である。（その１）
【図１１】図１１は、照明制御線の配線の具体例の説明図である。（その２）
【図１２】図１２は、導管に光電変換装置を設ける変形例の説明図である。（その１）
【図１３】図１３は、導管に光電変換装置を設ける変形例の説明図である。（その２）
【発明を実施するための形態】
【００２８】
以下に、添付図面を参照して、本発明に係る導管及び照明システムの好適な実施例を詳細に説明する。なお、以下の実施例では、本発明に係る導管及び照明システムを集合住宅に適用した場合を示して説明を行なう。
【実施例】
【００２９】
まず、本実施例に係る導管及び照明システムの概念について説明する。図１は、実施例に係る導管及び照明システムの概念を説明するための説明図である。図１に示した集合住宅は３階建てであり、１階に複数の住戸６０ａを有し、２階に複数の住戸６０ｂを有し、３階に複数の住戸６０ｃを有する。
【００３０】
また、集合住宅全体の共用設備として、管理装置１０が設けられている。さらに、１階の共用部にはＩＤＦ（中間配線盤: Intermediate Distribution Frame）２０ａが設けられ、２階の共用部にはＩＤＦ２０ｂが設けられ、３階の共用部にはＩＤＦ２０ｃが設けられている。
【００３１】
ＩＤＦ２０ａは、管理装置１０と１階の住戸６０ａとの間の配線を中継する。また、ＩＤＦ２０ａは、管理装置１０とＩＤＦ２０ｂとの間の配線を中継する。ＩＤＦ２０ｂは、ＩＤＦ２０ａと２階の住戸６０ｂとの間の配線を中継する。また、ＩＤＦ２０ｂは、ＩＤＦ２０ａとＩＤＦ２０ｃとの間の配線を中継する。ＩＤＦ２０ｃは、ＩＤＦ２０ｂと３階の住戸６０ｃとの間の配線を中継する。
【００３２】
そして、管理装置１０、ＩＤＦ２０ａ〜２０ｃ、住戸６０ａ〜６０ｃの間の配線は、導管３０に収容されている。導管３０は、長手が略１．８ｍであり、集合住宅の共用廊下などに複数の導管３０が繋がる形で敷設されている。
【００３３】
導管３０は、内部に２つの収容部を有する。また、導管３０は、外側に照明部４０を有する。照明部４０としては、例えば複数のＬＥＤ（発光ダイオード：light emitting diode）がシート上に配列された略１．８ｍのＬＥＤテープを用いる。
【００３４】
管理装置１０は、光通信処理部１１、照明制御部１２及び電源部１３を有する。光通信処理部１１は、外部と住戸６０ａ〜６０ｃとの間で光信号による通信を行なう処理部である。この光信号による通信は、電話、インターネットへの接続、テレビ放送の受信などに用いることができる。光信号による通信は、光通信線５１によって行なわれる。光通信線５１は、例えば光ファイバであり、導管３０に収容される。
【００３５】
照明制御部１２は、複数の導管３０がそれぞれ有する複数の照明部４０を制御する処理部である。具体的には、照明制御部１２は、複数の照明部４０に対して点灯、光量の増減、消灯を指示する制御信号を送信する。制御信号の送信は、照明制御線５２を用いて行なわれる。照明制御線５２は、光信号でも電気信号でもよい。制御信号に光信号を用いる場合には照明制御線５２は光ファイバなどを用いることができる。また、照明制御線５２は、導管３０に収容される。
【００３６】
電源部１３は、複数の導管３０がそれぞれ有する複数の照明部４０に電力を供給するユニットである。電力の供給は、電力線５３によりおこなわれる。また、電力線５３は、導管３０に収容される。
【００３７】
このように、導管３０には、光通信線５１、照明制御線５２及び電力線５３が収容される。ここで、光通信線５１及び照明制御線５２は、導管３０の２つの収容部のうちの一方に収容し、電力線は他方の収容部に収容する。光通信線５１及び照明制御線５２と電力線５３とを異なる収容部に分離して収容することにより、光通信線５１や照明制御線５２と電力線５３との間の干渉を防止することができる。
【００３８】
次に、導管３０の構造について説明する。図２は、導管３０の構造を説明する説明図である。図２（ａ）に示すように、導管３０の外側には照明部４０が設けられ、導管３０の内部には収容部３１と収容部３２の２つの収容部が形成されている。収容部３１は、光通信線５１及び照明制御線５２を収容し、収容部３２は、電力線５３を収容する。
【００３９】
なお、図２では、光通信線５１、照明制御線５２及び電力線５３をそれぞれ１本収容した状態を示したが、それぞれの配線は任意の数を収容することができる。例えば、光通信線については、住戸６０ａ〜６０ｃ用に４本、共用に２本の６本を収容することとしてもよい。また、照明制御線５２については、自導管３０用の１本に加え、後段の導管３０用の照明制御線５２を収容することができる。
【００４０】
図２（ｂ）に示すように、導管３０は、ベース部材３３及びカバー部材３４を有する。ベース部材３３は、建築物の壁面、床面又は天井面に固定される。カバー部材３４は、ベース部材３３に嵌め合わせることで装着可能である。また、かかる嵌め合わせを外すことにより、ベース部材３３からカバー部材３４を取り外すことができる。
【００４１】
ベース部材３３には、仕切り板３５が設けられている。ベース部材３３にカバー部材３４を装着した状態では、仕切り板３５によって導管３０の内部が仕切られ、独立した２つの収容部３１及び３２を形成する。
【００４２】
また、カバー部材３４の外側の面には、長手に沿って谷状の凹部が設けられており、この凹部の底面に照明部４０が設けられる。そして、凹部の端の近傍には、孔部３４ａが設けられている。また、照明部４０の端部４１には、制御用のコネクタ４２と電源用のコネクタ４３とが設けられている。
【００４３】
導管３０の収容部３１には、光通信線５１及び照明制御線５２が収容されているが、照明制御線５２はその端部にコネクタ５２ａを有する。照明部４０のコネクタ４２は、孔部３４ａを通ってコネクタ５２ａと接続される。
【００４４】
導管３０の収容部３２には、電力線５３が収容されており、電力線５３はその途中にはコネクタ５３ａを有する。照明部４０のコネクタ４３は、孔部３４ａを通ってコネクタ５３ａと接続される。
【００４５】
図３は、導管３０の外観についての説明図である。図３（ａ）は、導管３０の正面図であり、図３（ｂ）は、導管３０を側方からみた斜視図であり、図３（ｃ）は導管３０を下方から見た斜視図である。
【００４６】
図３（ａ）〜（ｃ）に示したように、導管３０を正面から見た状態では、照明部４０は隠された状態となる。これは、照明部４０がカバー部材３４の凹部の底面に設けられているためであり、照明部４０が日光や風雨などに晒されることを防ぐ効果がある。
【００４７】
図４は、導管３０の断面図である。図４に示すように、導管３０のカバー部材３４に設けた凹部３４ｂは、その底面から６７度の角度で開いている。また、底面は、仕切り板３５から２５度の角度で傾けて設けられている。ここで、仕切り板３５は、ベース部材３３の面に対して垂直であるものとする。
【００４８】
図５は、導管３０を共用廊下に敷設した状態の説明図である。図５（ａ）に示すように、住戸のドア６４ａの上方の壁面に導管３０を敷設すると、図５（ｂ）に示すように、共用廊下の床面を照明部４０により照らすことができる。これは、図４の断面図に示したように、凹部３４ｂに開きを持たせるとともに、その底面に傾きを持たせているためである。
【００４９】
次に、本実施例に係るシステムの構成について説明する。図６は、実施例に係るシステムの構成を説明する説明図である。図６に示すように、実施例に係るシステムは、管理装置１０、ＩＤＦ２０、複数の導管３０、住戸６０、照度センサ７１、人感センサ７２、災害センサ７３及び侵入センサ７４を有する。
【００５０】
既に説明したように、管理装置１０は、集合住宅全体の共用設備として設けられており、各階の共用部にＩＤＦ２０が設けられている。そして、ＩＤＦ２０と住戸６０との間には複数の導管３０が敷設され、導管３０の内部に配線が通されている。
【００５１】
照度センサ７１は、導管３０に対応付けて配置されており、導管３０の周囲の明るさを検知して検知結果を管理装置１０に送信する。同様に、人感センサ７２は、導管３０に対応付けて配置されており、導管３０の周囲に所在する人物を検知して検知結果を管理装置１０に送信する。
【００５２】
照度センサ７１や人感センサ７２は、導管３０の近傍に別途設置してもよいし、導管３０に設けてもよい。導管３０に照度センサ７１や人感センサ７２を設ける場合には、電力線５３を電源として用いる。また、照度センサ７１や人感センサ７２の検知結果を送信するための通信線は、導管３０の収容部３１に収容してもよい。
【００５３】
災害センサ７３は、火災、地震、ガス漏れなどを検知し、検知結果を管理装置１０に送信する。侵入センサ７４は、施錠された窓の振動など、不正な侵入の試みを検知する任意のセンサであり、検知結果を管理装置１０に送信する。災害センサ７３及び侵入センサ７４は、集合住宅内に適宜配置し、その配置を特定する情報は管理装置１０により保持される。
【００５４】
管理装置１０は、光通信処理部１１、照明制御部１２、電源部１３及び災害情報取得部１４を有する。災害情報取得部１４は、外部のサーバに接続し、地震などの災害の発生を示す情報を取得する処理部である。
【００５５】
光通信処理部１１は、既に説明したように、外部と住戸６０との間で光信号による通信を行なう処理部である。光信号による通信は、光通信線５１を用いて行なわれる。光通信線５１は、例えば光ファイバであり、導管３０に収容される。
【００５６】
さらに、光通信処理部１１は、光信号と電気信号とを相互に変換することが可能である。このため、光通信処理部１１は、照明制御部１２が出力した電気信号を光信号に変換して光通信線５１にのせることができる。また、光通信線５１から照明制御部１２宛の光信号を抽出して電気信号に変換し、照明制御部１２に出力することができる。具体的には、光通信処理部１１は、照明制御部１２が出力した制御信号、すなわち、導管３０の照明部４０を制御する信号を電気信号から光信号に変換してＩＤＦ２０に送信する。
【００５７】
照明制御部１２は、複数の導管３０がそれぞれ有する複数の照明部４０を制御する処理部であり、点灯制御部１２ａ、誘導処理部１２ｂ、異常報知処理部１２ｃ及び防犯支援処理部１２ｄを有する。
【００５８】
点灯制御部１２ａは、複数の導管３０がそれぞれ有する複数の照明部４０に対して点灯、光量の増減、消灯を指示する制御信号を出力する処理部である。具体的には、点灯制御部１２ａは、照度センサ７１により出力された照度が点灯閾値未満となった場合に、対応する導管３０の照明部４０に対し点灯を指示する制御信号を出力する。また、点灯制御部１２ａは、照度センサ７１により出力された照度が消灯閾値以上となった場合に、対応する導管３０の照明部４０に対し消灯を指示する制御信号を出力する。
【００５９】
さらに、点灯から消灯までの間に、人感センサ７２により人物が所在することを示す出力が得られたならば、点灯制御部１２ａは対応する導管３０の照明部４０に対し光量を増加させる制御信号を出力する。そして、光量を増加させる制御信号を出力した後、人感センサ７２により人物が所在しないことを示す出力が得られたならば、点灯制御部１２ａは対応する導管３０の照明部４０に対し光量を減少させる制御信号を出力する。
【００６０】
このように、点灯制御部１２ａは、照度センサ７１及び人感センサ７２の出力を用いて基本的な照明の制御を行なう。加えて、点灯制御部１２ａは、誘導処理部１２ｂ、異常報知処理部１２ｃ及び防犯支援処理部１２ｄからの制御を受けて導管３０の照明部４０に対する制御信号を出力する。
【００６１】
点灯制御部１２ａは、導管３０の照明部４０に対する各種の制御信号を電気信号で出力するが、この制御信号は光通信処理部１１により光信号に変換されてＩＤＦ２０に送信される。
【００６２】
誘導処理部１２ｂは、災害が発生した場合に、照明部４０を用いて避難経路を報知する処理部である。詳細については後述するが、照明部４０は、導管３０の長手と平行な２方向の一方を示す方向表示を行なうことができる。誘導処理部１２ｂは、照明部４０の方向表示により、避難すべき方向を示す。
【００６３】
誘導処理部１２ｂが報知する避難経路は、発生した災害に応じて異ならせることができる。例えば、災害センサ７３により集合住宅内部での火災の発生が検知されたならば、誘導処理部１２ｂは、火災の発生箇所に応じて各階の非常口などを選択し、選択した非常口などに至る避難経路を報知する。また、災害情報取得部１４により地震の発生と津波の危険を示す情報が取得されたならば、誘導処理部１２ｂは、上階への階段などに至る避難経路を報知する。
【００６４】
異常報知処理部１２ｃは、住戸６０の内部で異常が発生した場合に、当該住戸６０の外側に位置する導管３０の照明部４０を点灯し、異常の発生を報知する処理部である。住戸６０の内部における異常の発生は、住戸６０の内部に設けた住戸内センサ６３により検知することができる。住戸内センサ６３としては、火災やガス漏れを検知するセンサの他、居住者自身が操作する非常スイッチ、居住者に係る異常を自動で検知するセンサ等、任意の装置を用いることができる。集合住宅では、住戸６０の内部に自由に出入りするのは当該住戸の居住者のみであり、集合住宅の管理者であっても無理に立ち入ることはできない。一方で、内部に異常が発生した場合には、外部からの介入が望まれることがある。そこで、外部からの介入が必要であることを照明部４０の点灯により確認可能とすることで、異常に対して早期の対処が可能となる。
【００６５】
防犯支援処理部１２ｄは、侵入センサ７４により不正な侵入の試みが検知された場合に、その周囲に位置する導管３０の照明部４０を点灯する処理部である。このように侵入の試みに対応して照明部４０を点灯することにより、侵入を試みた人物に対して威嚇・牽制を行なうことができる。さらに、防犯カメラが設置されている場合には、その撮像範囲を照らすことにより、照明部４０を防犯カメラの照明として用い、より良好な画像を撮像させることができる。
【００６６】
誘導処理部１２ｂ、異常報知処理部１２ｃ及び防犯支援処理部１２ｄが照明部４０の点灯を制御する場合には、その制御内容を点灯制御部１２ａに通知し、制御内容に対応する制御信号を点灯制御部１２ａに出力させることになる。
【００６７】
電源部１３は、複数の導管３０がそれぞれ有する複数の照明部４０に電力を供給するユニットであり、主電源１３ａ及び予備電源１３ｂを有する。主電源１３ａは、例えば商用電源であり、予備電源１３ｂは例えばバッテリーである。通常、電源部１３は、電力線５３と主電源１３ａとを接続し、主電源１３ａを電力の供給に用いる。そして、災害などで主電源１３ａが使用できない場合には、予備電源１３ｂに切り替えて電力線５３に電力を供給する。このため、災害時であっても照明部４０を点灯させ、避難経路を報知することができる。
【００６８】
ＩＤＦ２０は、その内部に光電変換装置２１を有する。光電変換装置２１は、光信号と電気信号とを相互に変換することが可能なメディアコンバータである。具体的にはＩＤＦ２０は、光通信線５１から照明部４０の制御信号を抽出し、電気信号に変換して出力する。この結果、ＩＤＦ２０からの出力は、後段の導管３０の照明部４０に対する制御信号を電気信号で伝送する照明制御線５２と、残りの光信号を伝送する光通信線５１となる。
【００６９】
なお、後段に他のＩＤＦ２０が存在する場合、他のＩＤＦ２０以降の照明部４０の制御信号は光信号として残す。従って、ＩＤＦ２０は、自装置から他のＩＤＦ２０までの間に所在する導管３０について、照明部４０の制御信号を抽出し、電気信号に変換して出力することとなる。
【００７０】
導管３０は、光通信線５１、照明制御線５２及び電力線５３を収容し、また、照明部４０を有する。照明制御線５２には、自導管３０の照明部４０への制御信号を伝送する照明制御線５２と、後段の導管３０の照明部４０への制御信号を伝送する照明制御線５２とを含む。照明部４０は、電力線５３から電力の供給を受け、照明制御線５２から制御信号を受けて動作する。
【００７１】
住戸６０には、導管３０から光通信線５１が引き込まれている。また、住戸６０の内部には、光電変換装置６１、住戸内機器６２及び住戸内センサ６３が設けられている。光電変換装置６１は、光信号と電気信号とを相互に変換することが可能なメディアコンバータである。光電変換装置６１には、住戸内機器６２が接続されているが、住戸内機器６２は、基本的には電気信号を用いる装置であるため、光電変換装置６１による信号の変換が必要となるのである。住戸内機器６２としては、例えば、電話機、インターネットへの接続を行なうコンピュータ、テレビ放送受信機などである。
【００７２】
次に、照明部４０の方向表示について説明する。図７は、照明部４０の方向表示についての説明図である。図７（ａ）に示すように、照明部４０は、導管３０の長手に沿って配列された複数の照明要素部材を有する。照明要素部材は、例えばＬＥＤである。
【００７３】
照明要素部材であるＬＥＤは、個別に点灯制御が可能である。また、図７（ａ）では、緑色の光を発するＬＥＤ４４と、白色の光を発するＬＥＤ４５とを配置している。具体的には、ＬＥＤ４４を１つ配置した後、ＬＥＤ４５を３つ配置する構成を繰り返している。
【００７４】
白色のＬＥＤ４５は、照度センサ７１及び人感センサ７２の出力による基本的な照明や、侵入センサ７４の出力により不正な侵入の試みが検知された場合の照明に用いる。緑色のＬＥＤ４４は、誘導処理部１２ｂによる避難経路の報知や、異常報知処理部１２ｃによる異常の発生の報知に用いる。
【００７５】
誘導処理部１２ｂによる避難経路の報知には、照明部４０の方向表示を用いるが、この方向表示は、緑色のＬＥＤ４４を順次個別に点灯制御することで行なうことができる。具体的には、図７（ｂ１）〜（ｂ７）に示すように、まず端部のＬＥＤ４４を点灯したのち、点灯したＬＥＤ４４の次のＬＥＤ４４を点灯して元のＬＥＤ４４を消灯する制御を繰り返す。このように、ＬＥＤ４４を点灯制御することで導管３０の長手と平行な２方向の一方を示す方向表示が実現できる。
【００７６】
次に、管理装置１０による照明に係る処理手順を説明する。図８は、管理装置１０による照明に係る処理手順を示すフローチャートである。まず、照明制御部１２の点灯制御部１２ａは、照度センサ７１及び人感センサ７２の出力を用いて基本的な照明の制御である基本照明制御処理を行なう（ステップＳ１０１）。この基本照明制御処理の詳細については後述する。
【００７７】
ステップＳ１０１の後、異常報知処理部１２ｃは、各住戸６０にそれぞれ設けられた住戸内センサ６３の出力を取得し、いずれかの住戸内センサ６３が異常を検知したか否かを判定する（ステップＳ１０２）。いずれかの住戸内センサ６３が異常を検知したならば（ステップＳ１０２；Ｙｅｓ）、異常報知処理部１２ｃは、該当する住戸６０の入口上部に設けられた導管３０の照明部４０を点灯させ、異常の発生を報知する（ステップＳ１０３）。
【００７８】
ステップＳ１０３の後、若しくはいずれの住戸内センサ６３も異常を検知していない場合（ステップＳ１０２；Ｎｏ）、誘導処理部１２ｂは、災害センサ７３の出力と、災害情報取得部１４により取得された情報とを用い、災害が発生したか否かを判定する（ステップＳ１０４）。災害が発生した場合には（ステップＳ１０４；Ｙｅｓ）、誘導処理部１２ｂは、災害の内容に応じて避難経路を設定し、避難経路を示すよう導管３０の照明部４０の点灯制御を行なう（ステップＳ１０５）。
【００７９】
ステップＳ１０５の後、又は災害が発生していない場合（ステップＳ１０４；Ｎｏ）、防犯支援処理部１２ｄは、侵入センサ７４の出力を取得し、いずれかの侵入センサ７４が異常を検知したか否かを判定する（ステップＳ１０６）。いずれかの侵入センサ７４が異常を検知したならば（ステップＳ１０６；Ｙｅｓ）、防犯支援処理部１２ｄは、その近傍に位置する導管３０の照明部４０を点灯させる（ステップＳ１０７）。
（ステップＳ１０３）。
【００８０】
ステップＳ１０７の後、若しくはいずれの侵入センサ７４も異常を検知していない場合（ステップＳ１０６；Ｎｏ）、照明制御部１２は、照明に係る処理を終了する。
【００８１】
図９は、図８に示した基本照明制御処理の詳細を示すフローチャートである。なお、図９に示す基本照明制御処理は、複数の照明部４０のそれぞれについて個別に実行される。基本照明制御処理が開始されると、点灯制御部１２ａは、まず、照度センサ７１により出力された照度が点灯閾値未満であるか否かを判定する（ステップＳ２０１）。そして、照度が点灯閾値以上であれば（ステップＳ２０１；Ｎｏ）、そのまま基本照明制御処理を終了する。
【００８２】
照度が点灯閾値未満であれば（ステップＳ２０１；Ｙｅｓ）、点灯制御部１２ａは、対応する導管３０の照明部４０に対し点灯を指示する制御信号を出力し、点灯を開始させる（ステップＳ２０２）。
【００８３】
ステップＳ２０２の後、点灯制御部１２ａは、人感センサ７２により人物が所在することを示す出力が得られたか否か、すなわち、人感センサ７２に反応があるか否かを判定する（ステップＳ２０３）。
【００８４】
人感センサ７２に反応があれば（ステップＳ２０３；Ｙｅｓ）、点灯制御部１２ａは対応する導管３０の照明部４０に対し光量を増加させる制御信号を出力する（ステップＳ２０４）。
【００８５】
ステップＳ２０４の後、点灯制御部１２ａは、人感センサ７２により人物が所在しないことを示す出力が得られたか否か、すなわち、人感センサ７２に反応がなくなったか否かを判定する（ステップＳ２０５）。人感センサ７２に反応があれば（ステップＳ２０５；Ｎｏ）、点灯制御部１２ａは、所定時間経過後にステップＳ２０５の判定を再度実行する。
【００８６】
人感センサ７２の反応が無くなったならば（ステップＳ２０５；Ｙｅｓ）、点灯制御部１２ａは対応する導管３０の照明部４０に対し光量を減少させる制御信号を出力し、光量を元に戻す（ステップＳ２０６）。
【００８７】
ステップＳ２０６の後、若しくはステップＳ２０３で人感センサに反応が無かった場合（ステップＳ２０３；Ｎｏ）、点灯制御部１２ａは、照度センサ７１により出力された照度が消灯閾値以上であるか否かを判定する（ステップＳ２０７）。そして、照度が消灯閾値未満であれば（ステップＳ２０７；Ｎｏ）、ステップＳ２０３に移行する。
【００８８】
照度が消灯閾値以上であれば（ステップＳ２０７；Ｙｅｓ）、点灯制御部１２ａは、対応する導管３０の照明部４０に対し消灯を指示する制御信号を出力し、点灯を終了させて（ステップＳ２０８）、基本照明制御処理を終了する。
【００８９】
次に、照明制御線５２の配線の具体例について説明する。図１０及び図１１は、照明制御線５２の配線の具体例の説明図である。図１０に示した構成では、管理装置１０にＩＤＦ２０ａが接続されている。そして、ＩＤＦ２０ａの後段には、複数の導管３０ａと、ＩＤＦ２０ｂとが接続されている。また、ＩＤＦ２０ｂの後段には、複数の導管３０ｂと、ＩＤＦ２０ｃとが接続されている。そして、ＩＤＦ２０ｃの後段には、複数の導管３０ｃが接続されている。
【００９０】
この構成では、ＩＤＦ２０ａの光電変換装置２１ａは、導管３０ａの照明部４０ａに対する制御信号を光信号から電気信号に変換して照明制御線５２に出力する。一方、導管３０ｂの照明部４０ｂや導管３０ｃの照明部４０ｃに対する制御信号については、光信号のままでＩＤＦ２０ｂに送る。
【００９１】
また、ＩＤＦ２０ｂの光電変換装置２１ｂは、導管３０ｂの照明部４０ｂに対する制御信号を光信号から電気信号に変換して照明制御線５２に出力する。一方、導管３０ｃの照明部４０ｃに対する制御信号については、光信号のままでＩＤＦ２０ｃに送る。そして、ＩＤＦ２０ｃの光電変換装置２１ｃは、導管３０ｃの照明部４０ｃに対する制御信号を光信号から電気信号に変換して照明制御線５２に出力する。
【００９２】
図１１に示した構成では、管理装置１０にＩＤＦ２０ｄが接続されている。そして、ＩＤＦ２０ｄの後段には、複数の導管３０ｄが接続されている。さらに、複数の導管３０ｄの後段にＩＤＦ２０ｅが接続され、ＩＤＦ２０ｅの後段に複数の導管３０ｅが接続されている。
【００９３】
この構成では、ＩＤＦ２０ｄの光電変換装置２１ｄは、導管３０ｄの照明部４０ｄに対する制御信号を光信号から電気信号に変換して照明制御線５２に出力する。一方、導管３０ｅの照明部４０ｅに対する制御信号については、光信号のままでＩＤＦ２０ｅに送る。
【００９４】
ＩＤＦ２０ｅの光電変換装置２１ｅは、導管３０ｅの照明部４０ｅに対する制御信号を光信号から電気信号に変換して照明制御線５２に出力する。図示していないが、導管３０ｅの後段に他のＩＤＦが存在するならば、後段のＩＤＦ以降に接続された導管の照明部に対する制御信号については、光信号のままで光通信線５１により伝送する。
【００９５】
図１０及び図１１に示したように、ＩＤＦは、自装置から他のＩＤＦまでの間に所在する導管について、照明部の制御信号を抽出し、電気信号に変換して出力する。そして、他のＩＤＦ以降に接続された照明部の制御信号は光信号として残す。
【００９６】
次に、導管に光電変換装置を設ける変形例について説明する。図１２及び図１３は、導管に光電変換装置を設ける変形例の説明図である。図１２に示した構成では、管理装置１１０にＩＤＦ１２０ａが接続されている。そして、ＩＤＦ１２０ａの後段には、複数の導管１３０ａと、ＩＤＦ１２０ｂとが接続されている。また、ＩＤＦ１２０ｂの後段には、複数の導管１３０ｂと、ＩＤＦ１２０ｃとが接続されている。そして、ＩＤＦ１２０ｃの後段には、複数の導管１３０ｃが接続されている。
【００９７】
ＩＤＦ１２０ａは、その内部に光信号処理器１２２ａを有する。光信号処理器１２２ａは、光信号の中継を行なうルータである。同様に、ＩＤＦ１２０ｂは光信号処理器１２２ｂを有し、ＩＤＦ１２０ｃは光信号処理器１２２ｃを有する。
【００９８】
ＩＤＦ１２０ａは、導管１３０ａの照明部１４０ａに対する制御信号を光信号のままで導管１３０ａに送る。また、導管１３０ｂの照明部１４０ｂや導管１３０ｃの照明部１４０ｃに対する制御信号については、光信号のままＩＤＦ１２０ｂに送る。
【００９９】
ＩＤＦ１２０ｂは、導管１３０ｂの照明部１４０ｂに対する制御信号を光信号のままで導管１３０ｂに送る。また、導管１３０ｃの照明部１４０ｃに対する制御信号については、光信号のままＩＤＦ１２０ｃに送る。そして、ＩＤＦ１２０ｃは、導管１３０ｃの照明部１４０ｃに対する制御信号を光信号のままで導管１３０ｃに送る。
【０１００】
導管１３０ａは、外側に照明部１４０ａを有し、内部に光電変換装置１３６ａを有する。光電変換装置１３６ａは、自導管１３０ａの照明部１４０ａに対する制御信号を光信号から電気信号に変換し、自導管１３０ａの照明部１４０ａに出力する。一方、後段の他の導管１３０ａの照明部１４０ａに対する制御信号については、光信号のままで後段に送る。
【０１０１】
導管１３０ｂは、外側に照明部１４０ｂを有し、内部に光電変換装置１３６ｂを有する。光電変換装置１３６ｂは、自導管１３０ｂの照明部１４０ｂに対する制御信号を光信号から電気信号に変換し、自導管１３０ｂの照明部１４０ｂに出力する。一方、後段の他の導管１３０ｂの照明部１４０ｂに対する制御信号については、光信号のままで後段に送る。
【０１０２】
導管１３０ｃは、外側に照明部１４０ｃを有し、内部に光電変換装置１３６ｃを有する。光電変換装置１３６ｃは、自導管１３０ｃの照明部１４０ｃに対する制御信号を光信号から電気信号に変換し、自導管１３０ｃの照明部１４０ｃに出力する。一方、後段の他の導管１３０ｃの照明部１４０ｃに対する制御信号については、光信号のままで後段に送る。
【０１０３】
図１３に示した構成では、管理装置１１０に複数の導管１３０ｄが接続されている。導管１３０ｄは、外側に照明部１４０ｄを有し、内部に光電変換装置１３６ｄを有する。光電変換装置１３６ｄは、自導管１３０ｄの照明部１４０ｄに対する制御信号を光信号から電気信号に変換し、自導管１３０ｄの照明部１４０ｄに出力する。一方、後段の他の導管１３０ｄの照明部１４０ｄに対する制御信号については、光信号のままで後段に送る。
【０１０４】
図１２及び図１３に示したように、導管１３０ａ〜ｄの内部に光電変換装置１３６ａ〜ｄを設けた構成では、制御信号を光信号から電気信号に変換する処理を導管１３０ａ〜ｄの外部で行なう必要が無い。
【０１０５】
上述してきたように、本実施例では、導管３０のベース部材３３にカバー部材３４を装着することで導管３０の内部に第１の収容部３１と第２の収容部３２とを形成し、収容部３１に光通信線５１及び照明制御線５２を収容し、収容部３２に電力線５３を収容する。このように、光通信線５１及び照明制御線５２と電力線５３とを異なる収容部に分離して収容することにより、配線間の干渉を防止することができる。
【０１０６】
また、ベース部材３３からカバー部材３４を簡易に取り外すことができるので、収容部３１や収容部３２への配線の追加や置き換えが可能となり、配線に拡張性を持たせることができる。
【０１０７】
また、電力線５３から電力の供給を受けるとともに照明制御線５２から制御信号を受けて動作する照明部４０を導管３０の外側に設けることにより、導管３０を照明装置として用いることができる。
【０１０８】
また、建築物に係る異常に関する情報を取得し、照明部４０を点灯制御することで、災害時における避難経路の報知、侵入の発生箇所を照らすことによる防犯の支援、内部で異常が発生した住戸の報知などを行なうことができる。
【０１０９】
避難経路の報知にあたっては、導管３０の長手に沿って複数の照明要素部材を配列した照明部４０を用い、複数の照明要素部材を順次個別に点灯制御することで、長手と平行な２方向の一方を示す方向表示を行なって避難経路を効果的に報知することができる。
【０１１０】
なお、建築物の非常口に照明付のピクトグラムが設けられる場合があるが、このピクトグラムの照明が用いる電力線は、他の電力線とは分離した別ラインとすることが好適である。その場合であってもピクトグラムの照明用の電力線は、導管３０の第２の収容部３２に収容することができる。同様に、電力線、制御線又は通信線として個別に専用の配線が求められる場合であっても、導管３０の第１の収容部３１又は第２の収容部に収容することができる。
【０１１１】
また、照明部４０にＬＥＤを用いることで、消費電力の低減が可能である。例えば、１２Ｖ程度の電圧であっても十分な光量を得ることができる。さらに、電源の電圧を下げることで、特別な資格を有さない作業者でも取り付けや交換などが可能となる。これらのことから、照明部４０のメンテナンス性が向上する。
【０１１２】
なお、本実施例では、集合住宅に本発明を適用する場合を例に説明を行なったが、本発明は、戸建ての住宅や商業施設、オフィスビルなど、任意の建築物に適用することが可能である。
【０１１３】
また、本実施例では、照明部４０が導管３０の下側を照らすように配置する場合を例示したが、照明部４０が導管３０の上側を照らすように配置してもよい。また、本実施例では、照明部４０を導管３０に設ける構成を例示したが、カメラやスピーカなどを導管３０に設けてもよい。カメラやスピーカであっても、導管３０内部の配線から電力と制御を受けることができる。また、カメラなどにより取得したデータを導管３０内部の配線を利用して送信する構成としてもよい。
【０１１４】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１１５】
以上のように、本発明に係る導管及び照明システムは、建築物の配線に追加や置き換えが可能な拡張性を持たせ、かつ配線間の干渉を防止することに適している。
【符号の説明】
【０１１６】
１０、１１０  管理装置
１１  光通信処理部
１２  照明制御部
１２ａ  点灯制御部
１２ｂ  誘導処理部
１２ｃ  異常報知処理部
１２ｄ  防犯支援処理部
１３  電源部
１３ａ  主電源
１３ｂ  予備電源
１４  災害情報取得部
２０、２０ａ〜２０ｅ、１２０ａ〜１２０ｃ  ＩＤＦ
２１、２１ａ〜２１ｅ、６１、１３６ａ〜１３６ｄ  光電変換装置
３０、３０ａ〜３０ｅ、１３０ａ〜１３０ｄ  導管
３１、３２  収容部
３３  ベース部材
３４  カバー部材
３４ａ  孔部
３４ｂ  凹部
３５  仕切り板
４０、４０ａ〜４０ｅ、１４０ａ〜１４０ｄ  照明部
４１  端部
４２、４３、５２ａ、５３ａ  コネクタ
４４、４５  ＬＥＤ
５１  光通信線
５２  照明制御線
５３  電力線
６０、６０ａ、６０ｂ、６０ｃ  住戸
６２  住戸内機器
６３  住戸内センサ
６４ａ  ドア
７１  照度センサ
７２  人感センサ
７３  災害センサ
７４  侵入センサ
１２２ａ〜１２２ｃ  光信号処理器
【図１】
0006522330.tif 000002
【図２】
0006522330.tif 000003
【図３】
0006522330.tif 000004
【図４】
0006522330.tif 000005
【図５】
0006522330.tif 000006
【図６】
0006522330.tif 000007
【図７】
0006522330.tif 000008
【図８】
0006522330.tif 000009
【図９】
0006522330.tif 000010
【図１０】
0006522330.tif 000011
【図１１】
0006522330.tif 000012
【図１２】
0006522330.tif 000013
【図１３】
0006522330.tif 000014